(57)【要約】  【課題】  光ディスクプレーヤにおいて、光ピックアップを案内するガイド軸の傾き調整を少ない調整回数でしかも短時間で高精度に行なうようにした調整方法および調整装置を提供する。  【解決手段】  ガイド軸３２の長さ方向の両端の支持点４１、４２（Ｐ、Ｑ）の近傍の測定点Ａ、Ｂにおいてガイド軸３２の高さをそれぞれ高さ検出器４７、４８によって検出し、この検出器４７、４８による測定点Ａ、Ｂと支持点４１、４２（Ｐ、Ｑ）とのガイド軸３２の長さ方向の距離に応じた偏差量を補正しながら２つの支持点４１、４２（Ｐ、Ｑ）でそれぞれ高さ調整を行なうことによって、それぞれの支持点４１、４２（Ｐ、Ｑ）で１回の調整で高精度の傾き調整を達成する。【選択図】  図４
2005339741.tif 000002
【特許請求の範囲】
【請求項１】
２つの支持点で支持されるガイド軸の傾きを調整する方法において、
前記２つの支持点の近傍において前記ガイド軸の高さをそれぞれ高さ検出手段によって検出し、
前記検出手段と支持点との前記ガイド軸の長さ方向の距離に応じた偏差量を補正しながら前記２つの支持点でそれぞれ高さ調整を行なうことを特徴とするガイド軸の傾きの調整方法。
【請求項２】
２つの支持点で支持される軸の傾きを調整する方法において、
前記ガイド軸の両端の近傍のＰ点とＱ点でそれぞれ支持するとともに、前記Ｐ点とＱ点との間であって前記Ｐ点とＱ点とからそれぞれａおよびｃだけ離れたＡ点とＢ点とにおいて高さ調整を行なうようにし、
前記Ｐ点とＡ点との間の距離をａとし、Ａ点とＢ点との距離をｂとし、Ｂ点とＱ点との距離をｃとすると、Ｑ点から高さ調整する場合のＢ点をｃ／（ｂ＋ｃ）の偏差量だけ基準高さに対して補正し、Ｐ点から高さ調整する場合のＡ点をａ／（ａ＋ｂ）の偏差量だけ基準高さに対して補正をすることを特徴とするガイド軸の傾きの調整方法。
【請求項３】
前記ガイド軸の２つの支持点において前記ガイド軸がそれぞればねによって押上げられるように付勢され、調整ねじによって前記ガイド軸を前記ばねに抗して押下げて高さ調整を行なうことを特徴とする請求項１または請求項２に記載のガイド軸の傾きの調整方法。
【請求項４】
前記ガイド軸が光ピックアップを光ディスクに対して半径方向に移動させる案内手段であることを特徴とする請求項１または請求項２に記載のガイド軸の傾きの調整方法。
【請求項５】
２つの支持点で支持されるガイド軸の傾きを調整する装置において、
前記２つの支持点の近傍において前記ガイド軸の高さをそれぞれ検出する高さ検出手段と、
前記検出手段と支持点との前記ガイド軸の長さ方向の距離に応じて調整量の補正を行なう偏差量を演算して示す偏差量表示手段と、
を有し、前記偏差量表示手段によって表示される偏差量を補正しながら前記２つの支持点でそれぞれ前記ガイド軸の高さ調整を行なうようにしたガイド軸の傾き調整装置。
【請求項６】
２つの支持点で支持されるガイド軸の傾きを調整する装置において、
前記２つの支持点の近傍において前記ガイド軸の高さをそれぞれ検出する高さ検出手段と、
前記検出手段と支持点との前記ガイド軸の長さ方向の距離に応じた補正のための偏差量を演算する演算手段と、
前記２つの支持点でそれぞれ高さ調整を行なう高さ調整用アクチュエータと、
前記演算手段の演算結果に基いて前記高さ調整用アクチュエータを制御する制御手段と、
を有するガイド軸の傾き調整装置。
【請求項７】
前記ガイド軸が光ピックアップを光ディスクに対して半径方向に移動させる案内手段であることを特徴とする請求項５または請求項６に記載のガイド軸の傾き調整装置。
【発明の詳細な説明】
【技術分野】
【０００１】
本発明は、２つの支持点で支持されるガイド軸の傾きを調整する調整方法および調整装置に関する。
【背景技術】
【０００２】
光ディスクプレーヤは、光ディスクを回転駆動しながら該光ディスクに対して半径方向に移動する光ピックアップによって上記光ディスクと対接させ、これによって光ディスクに対する信号の書込みや読出しを行なうようにしている。従って光ピックアップの光学レンズの光軸は光ディスクに対して正しい姿勢、すなわち垂直な向きとなるように光ピックアップの角度が調整されなければならない。
【０００３】
そこで例えば特開２００３−３１７２６７号公報には、光ピックアップの一端側に形成された軸孔に挿通される主軸と、光学ピックアップの他端側に形成された支持部を一点で支持する副軸とがディスク回転駆動部に載置される光ディスクの半径方向に向ってほぼ平行にシャーシに配設されている光ディスク装置のスキュー調整方法において、主軸および副軸に支持された光学ピックアップに配設された対物レンズのスキューおよび高さを測定し、該測定結果を用いて調整目標値を決定し、該調整目標値に基いて主軸の一端側を光ディスクの主面とほぼ直交する方向に移動することにより光学ピックアップのラジアル方向のスキュー調整を行なうようにし、簡易且つ高精度にスキュー調整を行なうことができるスキュー調整方法を開示している。
【０００４】
また特開２００４−５８８３号公報には、皿ねじのテーパ面を利用してガイド副軸を垂直基準面と予圧バネとに同時に押圧させるようにし、ガイド軸のスキュー調整構造の加工工数および部品点数を削減することにより光ディスクドライブ装置の小型・軽量化とコストダウンとを実現した光ディスクドライブ装置を開示している。
【０００５】
図７は光ディスクプレーヤの概略の構造を示しており、この光ディスクプレーヤはシャーシ上にスピンドルモータ１を備え、その出力軸にターンテーブル２が固着されている。そしてターンテーブル２によって光ディスク３が回転駆動されるようになっており、このときに光ディスク３に対して光ピックアップ４が半径方向に移動するようにガイド軸５、６によって光ピックアップ４を案内している。そして光ピックアップ４の側部に形成されたナット７と螺合される送りねじ８をモータ９によって駆動することにより、光ピックアップ４を光ディスク３の半径方向に移動させるようにしている。
【０００６】
ここで上記光ピックアップ４の光学レンズの光軸が光ディスク３に対して垂直になるように、ガイド軸５、６の水平度を正しく調整する必要がある。図８はこのようなガイド軸６の水平度を出すための原理を示している。ガイド軸６はその両端において支持点１１、１２によって支持されるようになっており、支持点１１、１２に内蔵されるばね１３、１４によって上方に押圧付勢される。そして支持点１１、１２において調整ねじ１５、１６によってばね１３、１４に抗して支持点１１、１２に押圧されるようになっており、そのときの支持点１１、１２の近傍におけるガイド軸６の高さを高さ測定装置１７、１８によってそれぞれ測定し、その測定結果をディスプレイ１９によって表示している。
【０００７】
高さ調整を行なう際には、上記ディスプレイ１９による高さ測定装置１７、１８の測定結果を見ながら、調整ねじ１５、１６をそれぞれドライバによってねじ込み調整する。
【０００８】
図８に示す高さ調整装置によって行なう高さ調整の動作を図９によって説明する。２次元上におけるガイド軸６および平面の高さと傾きの位置決めは２つの測定点と２つの調整個所とを必要とする。図９に示す模式図において、Ｐ、Ｑは調整個所を、Ａ、Ｂは測定点を、ａ、ｃは主軸６の傾きを調整する調整個所Ｐおよび主軸の高さを決定するＱから測定点Ａ、Ｂまでの距離を示し、ｂは測定点Ａ、Ｂ間の距離を示す。
【０００９】
ガイド軸６を必要とする高さおよび傾きに調整を行なう場合に、対象となるガイド軸６の何れか一方を固定して他方を調整し、目標の高さに合わせる。図９においては目標高さをｈとし、調整を高さの基準となる支持点Ｑから始めている。まず測定点Ｂの高さを高さ測定装置１８によって測定しながら目標値ｈに合わせる。なおこのときに支持点Ｐが固定の中心となる。
【００１０】
次に支持点Ｑを中心に、反対側の支持点Ｐ側の測定点Ａの高さを高さ測定装置１７によって測定して目標高さｈに調整する。するとこの調整によって、支持点Ｑ側の測定点Ｂの位置がｈからｈ２  にシフトしてずれてしまう。そこで測定点Ｂにおける高さｈ２  を目標値ｈに戻すために、支持点Ｐを中心に支持点Ｑを移動調整させると、今度は反対側の支持点Ｐ側の測定点Ａがｈ３  にシフトする。
【００１１】
上記測定点Ａの高さｈ３  を目標値ｈに戻すために、支持点Ｑを中心に支持点Ｐを移動させると、測定点Ｂがｈ４  にシフトする。以下上記の測定点Ａと測定点Ｂの高さの調整の繰返しとなり、やがてこれらは収束していってｈに近くなるものの、精度を出すためには数回繰返す必要がある。とくに高精度な水平を出すためには、その繰返し回数を増加しなければならない。
【００１２】
図１０は上述の従来の調整方法で調整した場合の測定点Ａおよび測定点Ｂの高さの変化を示したものである。繰返すことで測定点Ａ、Ｂが次第にｈに近付いていくことがわかる。
【００１３】
ところがこのような従来の高さ調整の方法は、測定点Ａ、Ｂが支持点Ｐ、Ｑに対してガイド軸５の長さ方向にずれているために、一旦測定点Ａ、Ｂの位置をそれぞれ設定高さｈに合わせても、反対側の支持点を調整する際に基準高さからずれてしまい、このために調整を複数回繰返しながら図１０に示すように何回も繰返す必要がある。従って調整作業が面倒になるばかりでなく、比較的長い調整時間を要する。
【特許文献１】特開２００３−３１７２６７号公報
【特許文献２】特開２００４−５８８３号公報
【発明の開示】
【発明が解決しようとする課題】
【００１４】
本願発明の課題は、少ない調整回数でしかも正確にガイド軸の傾き調整を行なうようにした調整方法および調整装置を提供することである。
【００１５】
本願発明の別の課題は、傾きを調整するための時間を大幅に短縮できるようにしたガイド軸の傾きの調整方法および調整装置を提供することである。
【００１６】
本発明のさらに別の課題は、調整回数が少なくて短時間で傾き調整を自動によって行なうことができるようにした傾きの調整方法および調整装置を提供することである。
【００１７】
本願発明のさらに別の課題は、少ない調整回数でしかも短い調整時間で傾きを調整できるようにしたガイド軸の傾きの調整方法および調整装置を提供することである。
【００１８】
本願発明の上記の課題および別の課題は、以下に述べる本願発明の技術的思想およびその実施の形態によって明らかにされよう。
【課題を解決するための手段】
【００１９】
本願の主要な発明は、２つの支持点で支持されるガイド軸の傾きを調整する方法において、
前記２つの支持点の近傍において前記ガイド軸の高さをそれぞれ高さ検出手段によって検出し、
前記検出手段と支持点との前記ガイド軸の長さ方向の距離に応じた偏差量を補正しながら前記２つの支持点でそれぞれ高さ調整を行なうことを特徴とするガイド軸の傾きの調整方法に関するものである。
【００２０】
本願の別の主要な発明は、２つの支持点で支持される軸の傾きを調整する方法において、
前記ガイド軸の両端の近傍のＰ点とＱ点でそれぞれ支持するとともに、前記Ｐ点とＱ点との間であって前記Ｐ点とＱ点とからそれぞれａおよびｃだけ離れたＡ点とＢ点とにおいて高さ調整を行なうようにし、
前記Ｐ点とＡ点との間の距離をａとし、Ａ点とＢ点との距離をｂとし、Ｂ点とＱ点との距離をｃとすると、Ｑ点から高さ調整する場合のＢ点をｃ／（ｂ＋ｃ）の偏差量だけ基準高さに対して補正し、Ｐ点から高さ調整する場合のＡ点をａ／（ａ＋ｂ）の偏差量だけ基準高さに対して補正をすることを特徴とするガイド軸の傾きの調整方法に関するものである。
【００２１】
ここで前記ガイド軸の２つの支持点において前記ガイド軸がそれぞればねによって押上げられるように付勢され、調整ねじによって前記ガイド軸を前記ばねに抗して押下げて高さ調整を行なってよい。また前記ガイド軸が光ピックアップを光ディスクに対して半径方向に移動させる案内手段であってよい。
【００２２】
調整装置に関する主要な発明は、２つの支持点で支持されるガイド軸の傾きを調整する装置において、
前記２つの支持点の近傍において前記ガイド軸の高さをそれぞれ検出する高さ検出手段と、
前記検出手段と支持点との前記ガイド軸の長さ方向の距離に応じて調整量の補正を行なう偏差量を演算して示す偏差量表示手段と、
を有し、前記偏差量表示手段によって表示される偏差量を補正しながら前記２つの支持点でそれぞれ前記ガイド軸の高さ調整を行なうようにしたガイド軸の傾き調整装置に関するものである。
【００２３】
調整装置に関する別の主要な発明は、２つの支持点で支持されるガイド軸の傾きを調整する装置において、
前記２つの支持点の近傍において前記ガイド軸の高さをそれぞれ検出する高さ検出手段と、
前記検出手段と支持点との前記ガイド軸の長さ方向の距離に応じた補正のための偏差量を演算する演算手段と、
前記２つの支持点でそれぞれ高さ調整を行なう高さ調整用アクチュエータと、
前記演算手段の演算結果に基いて前記高さ調整用アクチュエータを制御する制御手段と、
を有するガイド軸の傾き調整装置に関するものである。
【００２４】
ここで前記ガイド軸が光ピックアップを光ディスクに対して半径方向に移動させる案内手段であってよい。
【００２５】
本願発明の好ましい態様は、光学ブロックにおける主軸の高さおよび傾きの調整をリアルタイムで演算することによって、それぞれ１回調整するだけで目標とする高さおよび傾きを得ることができ、このために調整時間を大幅に短縮でき、さらに高い精度で目標とする調整値が得られるアルゴリズムに関するものである。ここで調整について、対象物の大きさに依存しないアルゴリズムである。またこのアルゴリズムは、測定個所が調整個所から変位した位置に配置している場合に成立し、それらの位置関係が変化しても、調整回数および精度に影響しないアルゴリズムである。
【００２６】
上記のアルゴリズムを利用することによって、調整回数が非常に少なくなり、調整時間が大幅に短縮できる。これによる効果は、大量生産において非常に貢献すると考えられる。また従来方法では調整を繰返さなければ精度が出なかったものが、測定個所の高さとその比とをリアルタイムで監視するだけで何回も繰返す必要がなくなり、精度も高く調整できる。また本発明は、光ディスクプレーヤ以外であっても、２次元上の軸および平面の位置調整については同様のアルゴリズムを使用することができる可能性がある。
【発明の効果】
【００２７】
本願の主要な発明は、２つの支持点で支持されるガイド軸の傾きを調整する方法において、２つの支持点の近傍においてガイド軸の高さをそれぞれ高さ検出手段によって検出し、検出手段と支持点とのガイド軸の長さ方向の距離に応じた偏差量を補正しながら２つの支持点でそれぞれ高さ調整を行なうようにしたものである。
【００２８】
従ってこのようなガイド軸の傾きの調整方法によれば、検出手段と支持点とのガイド軸の長さ方向の距離に応じた偏差量を補正しながら２つの支持点で１回ずつ高さ調整を行なうことによって、ガイド軸の傾きを目標とする値に調整することができ、調整を何回も繰返す必要がなくなって調整操作が容易になる。また調整時間を大幅に短縮できるようになる。
【００２９】
調整装置に関する主要な発明は、２つの支持点で支持されるガイド軸の傾きを調整する装置において、２つの支持点の近傍においてガイド軸の高さをそれぞれ検出する高さ検出手段と、検出手段と支持点とのガイド軸の長さ方向の距離に応じて調整量の補正を行なう偏差量を演算して示す偏差量表示手段と、を有し、偏差量表示手段によって表示される偏差量を補正しながら２つの支持点でそれぞれガイド軸の高さ調整を行なうようにしたものである。
【００３０】
従ってこのようなガイド軸の傾き調整装置によれば、偏差量表示手段によって表示される偏差量を補正しながら２つの支持点でそれぞれガイド軸の高さ調整を１回ずつ行なうことによって、ガイド軸の傾きを目標とする値に調整することが可能になる。従ってこのような調整装置を利用することによって、ガイド軸の傾き調整の調整回数を非常に少なくするとともに、調整時間を大幅に短縮できるようになる。従ってとくに大量生産によって生産される機器のガイド軸の傾き調整の大幅な合理化が図られる。
【発明を実施するための最良の形態】
【００３１】
以下本願発明を図示の実施の形態によって説明する。図１は本実施の形態によって高さ調整が行なわれるガイド軸を備えた光ディスクプレーヤの概略を示すものであって、シャーシ２４上にはスピンドルモータ２５が取付けられている。このスピンドルモータ２５の出力軸２６にはターンテーブル２７が固着されている。ターンテーブル２７はその上に光ディスク２８を載置して回転駆動するようにしている。
【００３２】
上記ターンテーブル２７に対してその側方に位置するように光ピックアップ３０が配されている。光ピックアップ３０は一対のガイド軸３１、３２によって上記光ディスク２８の半径方向に移動されるようになっている。すなわち一方の副軸を構成するガイド軸３１は光ピックアップ３０の側部の突部３３のＵ字状溝によって受けられ、これに対して他方の主軸を構成するガイド軸３２は光ピックアップ３０の貫通孔３４を貫通している。また光ピックアップ３０は側部に突出するようにボールナット３５を備え、このボールナット３５に送りねじ３６が螺着されている。従って直流モータ３７によって送りねじ３６を駆動すると、光ピックアップ３０が移動し、光学レンズ３８の光軸の部分が光ディスク２８に対してその半径方向に相対的に移動することになる。
【００３３】
上記一対のガイド軸３１、３２は図２および図３に示すように、その両側の支持点４１、４２によって支持されるようになっている。なお一方の支持点４１は傾き調整を行なう支持点である。これに対して他方の支持点４２は主軸高さを調整するためのものである。そしてこれらの支持点４１、４２は図３に示すように圧縮コイルばね４３、４４を内蔵し、調整ねじ４５、４６によって上記圧縮コイルばね４３、４４に抗して押込むことにより、支持点４１、４２においてそれぞれ高さ調整が行なわれるようになっている。
【００３４】
このようなディスクドライブ装置において、ガイド軸３１、３２のスピンドルモータ２５側の支持点４２を軸の高さ調整点とし、この支持点４２を基準としてその他の支持点４１によって傾きを調整できるようにしている。図２Ａに示すようにディスク２８に対してアクセスする光学ブロック３０がラジアル方向およびタンジェンシャル方向に水平な場合には、ディスク２８に対して常に正常にアクセスができる。
【００３５】
これに対して図２Ｂに示すように光ピックアップ３０から成る光学ブロックがディスク２８に対してラジアル方向に対してθ傾いた場合には、光ピックアップ３０はラジアル方向に動き、光ディスク２８の内周や外周にアクセスするが、この場合には図に示すように反射した光が正確に光学レンズ３８を含む光学系によって検出できなくなる。従ってディスク２８に対するアクセスが行なえなくなる。
【００３６】
このような光ディスクプレーヤを組立てる際に、光ピックアップ３０をディスク２８に対して水平にしての組立ては通常不可能である。また光学レンズ３８を通して光ディスク２８に照射されるレーザビームはこの光ディスク２８の表面で集光しているために、光ディスク２８の表面と光ピックアップ３０の高さも一定の距離に合わせる必要がある。そして組立て後に、一対のガイド軸３１、３２の内の主軸３２の高さと傾きとを調整することが必要になる。タンジェンシャル方向については、他方のガイド軸３１から成る副軸の高さが固定のために、副軸３１が水平になるように副軸３１の傾き調整を行なうだけで、主軸３２による高さ調整を行なうことになる。
【００３７】
図３に示すようにドライバ５１によって手動で高さ調整を行なう場合の動作を説明する。２次元上におけるガイド軸３２および平面高さと傾きの位置決めは、２つの測定点と２つの調整個所とを必要とする。図４に示すように、Ｐ、Ｑが調整個所であって、Ａ、Ｂが測定点であり、ａ、ｃは傾き調整のための調整個所Ｐおよび高さ調整のための調整個所Ｑから測定点Ａ、Ｂまでの距離を示し、ｂは測定点Ａ、Ｂ間の距離を表わす。
【００３８】
図４においては主軸から成るガイド軸３２の目標高さをｈとし、調整をＱ点から始めた場合の動作を示している。測定点Ｂの方を目標値に合わせる。このときにＰ点が固定の中心になる。このときの各測定ポイントの距離関係を数式で表わすと次のようになる。
【００３９】
ｈ１  −ｈ＝ｃ×ｔａｎθ  （１）
ｈ２  −ｈ＝（ｂ＋ｃ）×ｔａｎθ  （２）
Ｑ点から調整する場合
（ｈ１  −ｈ）／（ｈ２  −ｈ）＝ｃ／（ｂ＋ｃ）＝ｋ１  （３）
Ｐ点から調整する場合
（ｈ１  −ｈ）／（ｈ２  −ｈ）＝ａ／（ａ＋ｂ）＝ｋ２  （４）
上記のアルゴリズムを用い、ｈ１  とｈ２  の比がｃ／（ｂ＋ｃ）（以下定数ｋ１  とする）となるように調整を行なう。このときにリアルタイムで演算してｈ１  とｈ２  の値を追う必要がある。従ってドライバ５１で調整しながらＡ、Ｂのそれぞれの測定点の高さを高さ検出器４７、４８で検出する。そして検出器４７、４８の検出出力を検出回路４９で検出（復調）し、ディスプレイ５０で表示する。そしてディスプレイ５０で表示されるｈ１  とｈ２  の比がｋ１  になったときにＱ点の調整を止める。これによってＱ点が目標値ｈにセットされる。
【００４０】
次にＰ点を調整し、測定点Ａを目標値ｈに合わせると、先にＢ点は高さｈで調整されているので、測定点Ａおよび測定点Ｂはともに目標値ｈに一致する。従って上記の２つの操作によって本アルゴリズムによる調整を完了する。
【００４１】
図５は上記のアルゴリズムで調整を行なったときの調整値を追ったグラフである。図１０と比較すれば明らかなように、Ｑ点とＰ点の２つの調整個所をそれぞれ１回ずつ調整するだけで、測定点Ａおよび測定点Ｂがともに目標値ｈになることが明確に理解される。
【００４２】
また上記のアルゴリズムでは、ａ、ｂ、ｃ間の関係に依存しないことが理解される。式（３）から、ｋ１  はあくまでも定数である。従ってリアルタイムでｈ１  およびｈ２  の値を取得し、ｋ１  に近付くようにＱ部を調整するだけで調整回数には影響がない。また調整精度にも影響を与えない。またＰ点から調整した場合には式（４）を用いればよい。
【００４３】
また上記の測定は、測定点Ａ、ＢがＰ、Ｑ間にある場合を示しているが、Ａ、Ｂの内の一方あるいは両方がＰ、Ｑよりも外側にある場合には、逆方向の偏差に基く補正値を用いて調整を行なえばよく、式（１）〜（４）と同様の偏差補正の式を用いて係数ｋ１  あるいはｋ２  を算出することによって、非常に短い回数での測定が可能になる。
【００４４】
次に別の実施の形態を図６によって説明する。この実施の形態は手動ではなく、自動的にガイド軸３２の高さ調整を行なうための方法および装置を示している。すなわち支持点４１、４２の近傍において高さ測定を行なうための高さ測定器４７、４８を検出回路４９に接続するとともに、検出回路４９の出力をディスプレイ５０に表示するようにしている。しかも検出回路４９がコントローラを兼ねており、このコントローラによって、高さ調整のための調整ねじ４５、４６を駆動するドライバ５１をアクチュエータ５５によって駆動するのを制御している。
【００４５】
ここで上記検出回路４９のコントローラは、上記式（３）あるいは式（４）の計算によって偏差量に基く補正値を演算し、この補正値を基にしてアクチュエータ５５によってドライバ５１を駆動するようにしている。
【００４６】
従ってこのような構成によれば、手動操作によるガイド軸３２の傾き調整に代えて、自動的にガイド軸３２の傾き調整を行なうことが可能になる。しかもこのときに手動操作における補正のためのアルゴリズムと同様の補正を検出回路４９の制御手段が行なうようにしているために、アクチュエータ５５による操作の回数も１回で済むようになり、このためにそれぞれの調整ねじ４５、４６を１回ずつ調整するだけで高い精度でガイド軸３２の高さ調整および傾き調整を行なうことが可能になる。
【００４７】
以上本願発明を図示の実施の形態によって説明したが、本願発明は上記実施の形態によって限定されることなく、本願発明の技術的思想の範囲内で各種の変更が可能である。例えば上記実施の形態は光ディスクプレーヤにおける光ピックアップ３０の案内のための主軸を構成するガイド軸３２の高さ調整に関するものであるが、本願発明は必ずしも光ディスクプレーヤのガイド軸の傾き調整のみに限定されるものではなく、所定の傾きを高精度に調整する必要があるガイド軸の調整に広く適用可能である。
【産業上の利用可能性】
【００４８】
本願発明は、光ディスクプレーヤにおける光ピックアップの案内のためのガイド軸の傾き調整に利用可能である。
【図面の簡単な説明】
【００４９】
【図１】光ディスクプレーヤの要部平面図である。
【図２】ガイド軸が水平な場合および傾いている場合のアクセスの動作を示す側面図である。
【図３】ガイド軸の傾き調整のための装置のブロック図である。
【図４】同傾き調整方法の原理を示す正面図である。
【図５】傾き調整における測定点の高さの変化を示すグラフである。
【図６】別の実施の形態の高さ測定装置のブロック図である。
【図７】従来の光ディスクプレーヤの要部斜視図である。
【図８】同光ディスクプレーヤにおけるガイド軸の高さ調整のための構成を示すブロック図である。
【図９】従来の傾き調整方法の原理を示す正面図である。
【図１０】同高さ調整における測定点の高さの変化を示すグラフである。
【符号の説明】
【００５０】
１‥‥スピンドルモータ、２‥‥ターンテーブル、３‥‥光ディスク、４‥‥光ピックアップ、５、６‥‥ガイド軸、７‥‥ナット、８‥‥送りねじ、９‥‥モータ、１１、１２‥‥支持点、１３、１４‥‥ばね、１５、１６‥‥調整ねじ、１７、１８‥‥高さ測定装置、１９‥‥ディスプレイ、２４‥‥シャーシ、２５‥‥スピンドルモータ、２６‥‥出力軸、２７‥‥ターンテーブル、２８‥‥光ディスク、３０‥‥光ピックアップ、３１‥‥ガイド軸（副軸）、３２‥‥ガイド軸（主軸）、３３‥‥突部、３４‥‥貫通孔、３５‥‥ボールナット、３６‥‥送りねじ、３７‥‥直流モータ、３８‥‥光学レンズ、４１‥‥支持点（傾き調整）、４２‥‥支持点（主軸高さ）、４３、４４‥‥圧縮コイルばね、４５、４６‥‥調整ねじ、４７、４８‥‥高さ測定器、４９‥‥検出回路、５０‥‥ディスプレイ、５１‥‥ドライバ、５５‥‥アクチュエータ
【図１】
2005339741.tif 000003
【図２】
2005339741.tif 000004
【図３】
2005339741.tif 000005
【図４】
2005339741.tif 000006
【図５】
2005339741.tif 000007
【図６】
2005339741.tif 000008
【図７】
2005339741.tif 000009
【図８】
2005339741.tif 000010
【図９】
2005339741.tif 000011
【図１０】
2005339741.tif 000012